【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
無線通信システムにおいて正確な基地局所在位置情報を維持する方法であって、
移動局において、少なくとも１つの基地局に関連する位置校正情報を基地局位置校正サーバーに報告するための要求を受信することであって、前記要求された位置校正情報は、前記移動局の少なくとも位置推定と、前記少なくとも１つの基地局に対する前記移動局の距離を示す情報とを含むことと、
前記移動局の前記位置推定を計算するのに十分な位置情報を決定することと、
前記少なくとも１つの基地局に対する前記移動局の距離を示す情報を決定することと、
前記要求された校正情報の送信を第１の目的として確立された専用基地局校正セッションを通して、前記要求された位置校正情報を前記基地局位置校正サーバーに送信することと、を具備し、
前記基地局位置校正サーバーに前記位置校正情報を報告するための要求は、校正プログラムか、あるいは、前記基地局位置校正サーバーによって開始される、方法。
【請求項２】
前記移動局が前記基地局位置校正サーバーに対して前記要求された校正情報を送信する権限を付与されているか否かを決定することをさらに具備し、前記移動局が前記権限を付与されている場合に前記送信することが実行される請求項１に記載の方法。
【請求項３】
前記校正プログラムは、検出されたイベントに応答して、前記要求を生成する請求項１に記載の方法。
【請求項４】
前記検出されたイベントは、前記少なくとも１つの基地局と通信している前記移動局に対応する請求項３に記載の方法。
【請求項５】
前記少なくとも１つの基地局は、前記移動局の現在稼働中の基地局を含む請求項１に記載の方法。
【請求項６】
前記少なくとも１つの基地局は、前記移動局で検出された各基地局を含む請求項１に記載の方法。
【請求項７】
位置決定エンティティ（ＰＤＥ）は前記移動局が前記位置推定を決定するのを支援する請求項１に記載の方法。
【請求項８】
前記移動局は、位置決定エンティティ（ＰＤＥ）からの支援なしに前記位置推定を決定する請求項１に記載の方法。
【請求項９】
前記基地局位置校正サーバーは、前記移動局がその位置を決定するのを支援するように構成された位置決定エンティティ（ＰＤＥ）から分離されている請求項１に記載の方法。
【請求項１０】
前記移動局の前記位置推定を決定することは、ワイドエリアネットワーク（ＷＡＮ）到着時間差（ＴＤＯＡ）プロトコル、衛星位置システム（ＳＰＳ）プロトコルあるいはハイブリッドシステムに基づいている請求項１に記載の方法。
【請求項１１】
前記ＷＡＮ  ＴＤＯＡプロトコルは、高度順方向リンク三辺測量（ＡＦＬＴ）プロトコルに対応し、前記ＳＰＳプロトコルは全地球測位衛星（ＧＰＳ）プロトコルに対応し、前記ハイブリッドシステムは、ハイブリッドＧＰＳ／ＡＦＬＴプロトコルに対応する請求項１０に記載の方法。
【請求項１２】
前記移動局は、グローバル衛星受信機を含むハイブリッド型電話機ハンドセットを具備し、前記移動局の前記位置は、グローバル衛星から前記移動局によって受信された信号から決定され、前記少なくとも１つの基地局は、少なくとも１つの無線ＬＡＮ基地局を具備し、前記無線ＬＡＮ基地局の前記位置は、無線ＬＡＮ信号を用いて前記無線ＬＡＮ基地局と通信中の前記移動局の前記位置から決定される請求項１に記載の方法。
【請求項１３】
前記無線ＬＡＮ基地局は、ＷｉＦｉアクセスポイントを具備する請求項１２に記載の方法。
【請求項１４】
前記少なくとも１つの基地局に対する前記移動局の距離を示す情報は、（ｉ）高度順方向リンク三辺測量（ＡＦＬＴ）プロトコルにしたがって前記少なくとも１つの基地局からの１つ以上のダウンリンクパイロット信号の位相シフトを測定すること、（ｉｉ）ＴＯＡプロトコルにしたがって１つ以上のダウンリンク信号の到着時間（ＴＯＡ）を測定すること、及び／または（ｉｉｉ）前記移動局と前記少なくとも１つの基地局間で交換された１つ以上の信号の往復遅延を測定すること、に基づいて決定される請求項１に記載の方法。
【請求項１５】
無線通信システムにおいて正確な基地局所在位置情報を維持する方法であって、
基地局位置校正サーバーにおいて、少なくとも１つの基地局に関連する１つ以上の移動局から位置校正情報を受信することであって、前記位置校正情報は、要求された校正情報の受信を第１の目的として確立された専用基地局校正セッションを通して受信され、前記位置校正情報は、前記１つ以上の移動局の少なくとも位置推定と、前記少なくとも１つの基地局に対する前記１つ以上の移動局の距離を示す情報とを含むことと、
前記受信された位置校正情報に少なくとも部分的に基づいて、前記少なくとも１つの基地局の位置を決定することと、
前記少なくとも１つの基地局の前記決定された位置に基づいて基地局アルマナック内の前記少なくとも１つの基地局の位置の記録を選択的に更新することであって、前記基地局アルマナックは無線通信システムの基地局の位置を記憶するように構成されていることと、を具備し、
前記位置校正情報は、前記１つ以上の移動局上で実行されている校正プログラムによって開始された要求に応答して、前記１つ以上の移動局から送信される、方法。
【請求項１６】
前記位置校正情報に関する要求を前記１つ以上の移動局の各々に対して送信することをさらに具備し、
前記受信することは、前記要求に応答して前記１つ以上の移動局から前記位置校正情報を受信する請求項１５に記載の方法。
【請求項１７】
前記少なくとも１つの基地局は、前記１つ以上の移動局の現在稼働中の基地局を含む請求項１５に記載の方法。
【請求項１８】
前記少なくとも１つの基地局は、前記１つ以上の移動局によって検出された各基地局を含む請求項１７に記載の方法。
【請求項１９】
前記移動局の前記位置推定は、ワイドエリアネットワーク（ＷＡＮ）到着時間差（ＴＤＯＡ）プロトコル、衛星位置システム（ＳＰＳ）プロトコルあるいはハイブリッドシステムに基づく請求項１５に記載の方法。
【請求項２０】
前記ＷＡＮ  ＴＤＯＡプロトコルは、高度順方向リンク三辺測量（ＡＦＬＴ）プロトコルに対応し、前記ＳＰＳプロトコルは全地球測位衛星（ＧＰＳ）プロトコルに対応し、前記ハイブリッドシステムは、ハイブリッドＧＰＳ／ＡＦＬＴプロトコルに対応する請求項１９に記載の方法。
【請求項２１】
前記少なくとも１つの基地局に対する前記移動局の距離を示す情報は、（ｉ）高度順方向リンク三辺測量（ＡＦＬＴ）プロトコルにしたがって前記少なくとも１つの移動局で測定された前記少なくとも１つの基地局からの１つ以上のダウンリンクパイロット信号の位相シフト、（ｉｉ）ＴＯＡプロトコルにしたがって前記１つ以上の移動局で測定された１つ以上のダウンリンク信号の到着時間（ＴＯＡ）、及び／または（ｉｉｉ）前記移動局と前記少なくとも１つの基地局間で交換される１つ以上の信号の往復遅延、に基づいて決定される請求項１５に記載の方法。
【請求項２２】
前記決定することは、前記位置校正情報の複数のインスタンスに基づいて前記少なくとも１つの基地局の位置を決定し、これによって前記少なくとも１つの基地局の前記位置推定は、特定の地理的位置から所定の基地局に対する所定の移動局の距離の複数の表示から三角測量される請求項１５に記載の方法。
【請求項２３】
前記位置校正情報の前記複数のインスタンスは、（ｉ）異なる位置で同一の移動局から、（ｉｉ）異なる位置で異なる移動局から、あるいは（ｉｉｉ）それらの組み合わせから、受信される請求項２２に記載の方法。
【請求項２４】
前記選択的に更新することは、
前記少なくとも１つの基地局の前記決定された位置と、前記基地局アルマナック内の前記少なくとも１つの基地局の予め記憶された位置とを比較することと、
前記比較することに少なくとも部分的に基づいて、前記記録の前記予め記憶された位置を前記決定された位置に置き換えることと、を含む請求項１５に記載の方法。
【請求項２５】
前記基地局位置校正サーバーは、前記移動局がその位置を決定するのを支援するように構成されている位置決定エンティティ（ＰＤＥ）から分離されている請求項１５に記載の方法。
【請求項２６】
前記１つ以上の移動局は、グローバル衛星受信機を含むハイブリッド電話機ハンドセットを具備し、前記１つ以上の移動局の前記位置は前記１つ以上の移動局によってグローバル衛星から受信された信号から決定され、前記少なくとも１つの基地局は、少なくとも１つの無線ＬＡＮ基地局を具備し、前記無線ＬＡＮ基地局の前記位置は、無線ＬＡＮ信号を用いて前記無線ＬＡＮ基地局と通信中の前記移動局の位置から決定される請求項１５に記載の方法。
【請求項２７】
前記無線ＬＡＮ基地局は、ＷｉＦｉアクセスポイントを具備する請求項２６に記載の方法。
【請求項２８】
無線通信システムにおける移動局であって、
少なくとも１つの基地局の位置校正情報を基地局位置校正サーバーに報告するための要求を受信するための手段であって、前記要求された位置校正情報は前記移動局の少なくとも位置推定と、前記少なくとも１つの基地局に対する前記移動局の距離を示す情報とを含む手段と、
前記移動局の前記位置推定を計算するのに十分な位置情報を決定するための手段と、
前記少なくとも１つの基地局に対する前記移動局の距離を示す情報を決定するための手段と、
前記要求された校正情報の送信を第１の目的として確立された専用基地局校正セッションを通して、前記要求された位置校正情報を前記基地局位置校正サーバーに送信するための手段と、を具備し、
前記基地局位置校正サーバーに前記位置校正情報を報告するための要求は、校正プログラムか、あるいは、前記基地局位置校正サーバーによって開始される、方法。
【請求項２９】
無線通信システムにおいて正確な基地局所在位置情報を維持するように構成された基地局位置校正サーバーであって、
少なくとも１つの基地局に関連する１つ以上の移動局からの位置校正情報を受信するための手段であって、前記位置校正情報は、要求された校正情報の受信を第１の目的として確立された専用基地局校正セッションを通して受信され、前記位置校正情報は、前記１つ以上の移動局の少なくとも位置推定と、少なくとも１つの基地局に対する前記１つ以上の移動局の距離を示す情報とを含む手段と、
前記受信された位置校正情報に少なくとも部分的に基づいて、前記少なくとも１つの基地局の位置を決定するための手段と、
前記少なくとも１つの基地局の前記決定された位置に基づいて基地局アルマナック内の前記少なくとも１つの基地局の位置の記録を選択的に更新するための手段であって、前記基地局アルマナックは無線通信システムの基地局の位置を記憶するように構成される手段と、を具備し、
前記位置校正情報は、前記１つ以上の移動局上で実行されている校正プログラムによって開始された要求に応答して、前記１つ以上の移動局から送信される、基地局位置校正サーバー。
【請求項３０】
無線通信システムにおける移動局であって、
少なくとも１つの基地局の位置校正情報を基地局位置校正サーバーに報告するための要求を受信するように構成された論理であって、前記要求された位置校正情報は前記移動局の少なくとも位置推定と、前記少なくとも１つの基地局に対する前記移動局の距離を示す情報とを含む論理と、
前記移動局の前記位置推定を計算するのに十分な位置情報を決定するように構成された論理と、
前記少なくとも１つの基地局に対する前記移動局の距離を示す情報を決定するように構成された論理と、
前記要求された校正情報の送信を第１の目的として確立された専用基地局校正セッションを通して、前記要求された位置校正情報を前記基地局位置校正サーバーに送信するように構成された論理と、
を具備し、
前記基地局位置校正サーバーに前記位置校正情報を報告するための要求は、校正プログラムか、あるいは、前記基地局位置校正サーバーによって開始される、移動局。
【請求項３１】
無線通信システムにおいて正確な基地局所在位置情報を維持するように構成された基地局位置校正サーバーであって、
少なくとも１つの基地局に関連する１つ以上の移動局から位置校正情報を受信するように構成された論理であって、前記位置校正情報は、要求された校正情報の受信を第１の目的として確立された専用基地局校正セッションを通して受信され、前記位置校正情報は、前記１つ以上の移動局の少なくとも位置推定と、少なくとも１つの基地局に対する前記１つ以上の移動局の距離を示す情報とを含む論理と、
前記受信された位置校正情報に少なくとも部分的に基づいて、前記少なくとも１つの基地局の位置を決定するように構成された論理と、
前記少なくとも１つの基地局の前記決定された位置に基づいて基地局アルマナック内の前記少なくとも１つの基地局の位置の記録を選択的に更新するように構成された論理であって、前記基地局アルマナックは無線通信システムの基地局の位置を記憶するように構成された論理と、を具備し、
前記位置校正情報は、前記１つ以上の移動局上で実行されている校正プログラムによって開始された要求に応答して、前記１つ以上の移動局から送信される、基地局位置校正サーバー。
【請求項３２】
無線通信システムにおいて移動局によって実行されたときに、前記移動局に動作を実行させる命令を具備するコンピュータ読み取り可能な記録媒体であって、前記命令は、
少なくとも１つの基地局の位置校正情報を基地局位置校正サーバーに報告するための要求を受信するためのプログラムコードであって、前記要求された位置校正情報は前記移動局の少なくとも位置推定と、前記少なくとも１つの基地局に対する前記移動局の距離を示す情報とを含むプログラムコードと、
前記移動局の前記位置推定を計算するのに十分な位置情報を決定するためのプログラムコードと、
前記少なくとも１つの基地局に対する前記移動局の距離を示す情報を決定するためのプログラムコードと、
前記要求された校正情報の送信を第１の目的として確立された専用基地局校正セッションを通して、前記要求された位置校正情報を前記基地局位置校正サーバーに送信するためのプログラムコードと、
を具備し、
前記基地局位置校正サーバーに前記位置校正情報を報告するための要求は、校正プログラムか、あるいは、前記基地局位置校正サーバーによって開始される、コンピュータ読み取り可能な記録媒体。
【請求項３３】
無線通信システムにおいて正確な基地局所在位置情報を維持するように構成された基地局位置校正サーバーによって実行されたときに、前記基地局位置校正サーバーに動作を実行させる命令を具備するコンピュータ読み取り可能な記録媒体であって、前記命令は、
少なくとも１つの基地局に関連する１つ以上の移動局からの位置校正情報を受信するためのプログラムコードであって、前記位置校正情報は、要求された校正情報の受信を第１の目的として確立された専用基地局校正セッションを通して受信され、前記位置校正情報は、前記１つ以上の移動局の少なくとも位置推定と、少なくとも１つの基地局に対する前記１つ以上の移動局の距離を示す情報とを含むプログラムコードと、
前記受信された位置校正情報に少なくとも部分的に基づいて、少なくとも１つの基地局の位置を決定するためのプログラムコードと、
前記少なくとも１つの基地局の前記決定された位置に基づいて基地局アルマナック内の前記少なくとも１つの基地局の位置の記録を選択的に更新するプログラムコードであって、前記基地局アルマナックは無線通信システムの基地局の位置を記憶するように構成されているプログラムコードと、具備し、
前記位置校正情報は、前記１つ以上の移動局上で実行されている校正プログラムによって開始された要求に応答して、前記１つ以上の移動局から送信される、コンピュータ読み取り可能な記録媒体。
【手続補正２】
【補正対象書類名】明細書
【補正対象項目名】００９８
【補正方法】変更
【補正の内容】
【００９８】
本発明は、ある一定の特別さを持って説明及び例示されているが、本開示は例を挙げることのみを目的として行われたものであること、及び、特許請求の範囲において請求されるように、本発明の精神及び適用範囲を逸脱せずに各部分の組合せ及び配列の変更を数多く行えることを理解すべきである。
以下に本願出願当初の特許請求の範囲を付記する。
[Ｃ１]  １つ以上の基地局と通信中の複数の移動局を含む無線通信ネットワークにおいて、基地局の位置を決定する方法であって、
ａ．ＢＴＳ校正プログラムを用いて１つの移動局群をプログラミングし、それによって複数の校正イネーブルド移動局を提供することと、
ｂ．前記基地局とネットワーク接続されたＢＴＳ校正サーバーを提供することと、
ｃ．基地局と通信中の前記校正イネーブルド移動局のうちの少なくとも１つに校正情報を要求することと、
ｄ．前記基地局と通信中の前記校正イネーブルド移動局の位置を決定することと、
ｅ．前記基地局から前記基地局と通信中の前記移動局への信号を受信することと、
ｆ．前記位置を示す校正情報及び前記信号を前記移動局から前記ＢＴＳ校正サーバーに送信することと、
ｇ．前記ＢＴＳ校正サーバーにおいて、前記校正情報を前記基地局と関連づけられた基地局アルマナック情報と比較し、それに応答して前記基地局の前記位置を校正すること、とを具備する方法。
[Ｃ２]  前記移動局が校正情報を伝達する権限を付与されているかどうかを決定し、権限が付与されていない場合は校正情報を送信する前に動作からぬけ出て、権限が付与されている場合は動作を完了させるステップをさらに具備するＣ１に記載の方法。
[Ｃ３]  各移動局はユーザーを有し、前記校正イネーブルド携帯電話の前記ユーザーは、校正情報を提供する権限の付与を示すためのプライバシー設定を設けるために前記ＢＴＳ校正プログラムを利用し、前記移動局が校正情報を伝達する権限を付与されているかどうかを決定する前記ステップは、前記プライバシー設定を検査して前記移動局が校正情報を提供する権限を付与されていることを検証することをさらに具備するＣ２に記載の方法。
[Ｃ４]  各移動局はユーザーを有し、校正プログラムを用いて１つの移動局群をプログラミングする前記ステップは、前記携帯電話群のユーザーの同意を得ること及び前記ＢＴＳ校正プログラムを前記携帯電話群内にダウンロードすることを具備するＣ１に記載の方法。
[Ｃ５]  前記ユーザーの同意を得る前記ステップは、校正情報を提供する権限の付与を示すためのプライバシー設定を設けることをさらに具備するＣ４に記載の方法。
[Ｃ６]  校正情報を要求する前記ステップは、前記基地局と通信時に前記ＢＴＳ校正ソフトウェアによって開始されるＣ１に記載の方法。
[Ｃ７]  校正情報を要求する前記ステップは、前記ＢＴＳ校正サーバーから前記ソフトウェアイネーブルド移動局のうちの少なくとも１つに通信することを具備するＣ１に記載の方法。
[Ｃ８]  前記ＢＴＳＣＳは、ターゲット基地局を選択し、校正情報を要求する前記ステップは、前記ターゲット基地局と通信中の前記校正イネーブルド移動局のうちの少なくとも１つに前記ＢＴＳ校正サーバーから通信することを具備するＣ１に記載の方法。
[Ｃ９]  前記移動局は、グローバル衛星受信機を有し、前記移動局の前記位置は、前記移動局によってグローバル衛星から受信された信号から決定されるＣ１に記載の方法。
[Ｃ１０]  前記移動局の前記位置は、各移動局の高度順方向リンク三辺測量（ＡＦＬＴ）によって既知の位置を有する基地局から決定されるＣ１に記載の方法。
[Ｃ１１]  前記移動局は、グローバル衛星受信機を含むハイブリッド型電話機ハンドセットを具備し、前記移動局の前記位置は、前記移動局によってグローバル衛星から受信された信号から決定され、前記基地局の前記位置は、到着時間差を用いて前記移動局の位置から決定されるＣ１に記載の方法。
[Ｃ１２]  前記到着時間差は、高度順方向リンク三辺測量（ＡＦＬＴ）を用いて提供されるＣ１１に記載の方法。
[Ｃ１３]  前記移動局は、グローバル衛星受信機を含むハイブリッド型電話機ハンドセットを具備し、前記移動局の前記位置は、前記移動局によってグローバル衛星から受信された信号から決定され、前記基地局は、少なくとも１つの無線ＬＡＮ基地局を具備し、前記無線ＬＡＮ基地局の位置は、無線ＬＡＮ信号を用いて前記無線ＬＡＮ基地局と通信中の前記移動局の前記位置から決定されるＣ１に記載の方法。
[Ｃ１４]  前記無線ＬＡＮ基地局は、ＷｉＦｉアクセスポイントを具備するＣ１に記載の方法。
[Ｃ１５]  前記基地局から前記移動局への信号を受信する前記ステップは、前記基地局と前記移動局との間の距離を決定するために前記基地局と前記移動局との間で送信された前記信号の信号路遅延を測定することを含むＣ１に記載の方法。
[Ｃ１６]  信号を受信する前記ステップは、ＴＤＯＡシステムを用いて前記信号の前記到着時間差を測定することを具備するＣ１５に記載の方法。
[Ｃ１７]  前記到着時間差を測定する前記ステップは、ＡＦＬＴシステムを用いて位相シフトを測定することを具備するＣ１６に記載の方法。
[Ｃ１８]  信号を受信する前記ステップは、ＴＯＡシステムを用いて前記信号の前記到着時間を測定することを具備するＣ１５に記載の方法。
[Ｃ１９]  信号を受信する前記ステップは、前記基地局と前記移動局との間における前記信号の往復遅延を測定することを具備するＣ１５に記載の方法。
[Ｃ２０]  前記校正情報を比較する前記ステップは、前記移動局から前記基地局までの距離を計算することを具備するＣ１に記載の方法。
[Ｃ２１]  前記校正情報を比較する前記ステップは、前記移動局から前記基地局までの前記距離の誤差を決定することを具備するＣ１に記載の方法。
[Ｃ２２]  前記基地局の前記位置を校正する前記ステップは、前記基地局と関連するアルマナック情報を更新することを具備するＣ１に記載の方法。
[Ｃ２３]  前記移動局の前記位置から決定された基地局アンテナの位置は、基地局アルマナックに含められている前記基地局に関する位置を検証するために前記基地局アルマナックに含められている前記基地局の前記位置と比較されるＣ１に記載の方法。
[Ｃ２４]  ａ．各々が一意の所在位置を有する複数の基地局と、
ｂ．前記複数の基地局とネットワーク接続されたＢＴＳ校正サーバーと、
ｃ．前記基地局のうちの少なくとも１つの基地局と無線で通信する複数の校正イネーブルド移動局であって、ＢＴＳ校正プログラム及び位置を決定するための位置特定システムと、前記基地局から前記移動局への信号を受信する手段とを各々が有する複数の校正イネーブルド移動局と、
ｄ．基地局と通信中の前記校正イネーブルド移動局のうちの少なくとも１つに校正情報を要求する手段と、
ｅ．前記位置を示す校正情報及び前記信号を前記移動局から前記ＢＴＳ校正サーバーに送信する手段と、
ｆ．前記複数の基地局及び前記ＢＴＳ校正サーバーとネットワーク接続された基地局アルマナックと、
ｇ．前記ＢＴＳ校正サーバーにおいて、前記移動局から前記基地局までの距離を計算し、前記計算された距離を前記基地局と関連する基地局アルマナック情報と比較し、それに応答して前記基地局の前記位置を校正する手段と、を具備する無線通信ネットワーク。
[Ｃ２５]  前記移動局が校正情報を伝達する権限を付与されているかどうかを決定する手段をさらに具備するＣ２４に記載のネットワーク。
[Ｃ２６]  前記ＢＴＳ校正プログラムは、校正情報を提供する権限の付与を示すために前記移動局に格納されたプライバシー設定を提供し、前記移動局が校正情報を伝達する権限を付与されているかどうかを決定する前記手段は、前記プライバシー設定を検査して前記移動局が校正情報を提供する権限を付与されていることを検証することをさらに具備するＣ２４に記載のネットワーク。
[Ｃ２７]  前記位置特定システムは、距離を測定するためのＴＤＯＡシステムを具備するＣ２４に記載のネットワーク。
[Ｃ２８]  前記位置特定システムは、距離を測定するためのＲＴＤシステムを具備するＣ２４に記載のネットワーク。
[Ｃ２９]  前記位置特定システムは、距離を測定するためのＴＯＡシステムを具備するＣ２４に記載のネットワーク。
[Ｃ３０]  前記移動局内の前記位置特定システムは、前記移動局によってグローバル衛星から受信された信号から前記移動局の前記位置を決定できるようにするためにグローバル衛星受信機を含むＣ２４に記載のネットワーク。
[Ｃ３１]  前記移動局内の前記位置特定システムは、既知の位置を有する基地局から前記移動局の前記位置を決定する高度順方向リンク三辺測量（ＡＦＬＴ）システムを含むＣ２４に記載のネットワーク。
[Ｃ３２]  前記移動局は、グローバル衛星受信機及びＡＦＬＴシステムを含むハイブリッド型電話機ハンドセットを具備するＣ２４に記載のネットワーク。
[Ｃ３３]  前記基地局の前記位置を校正する前記手段は、前記基地局と関連するアルマナック情報を更新するための手段を具備するＣ２４に記載のネットワーク。